(57)【要約】【課題】靴を履いている最中であっても、靴内の蒸れを解消できる靴構造及び靴用除湿具を提供すること。【解決手段】靴１の内部を除湿する機能を有した靴構造において、靴１の靴本体３に開口４ｂを設け、開口４ｂに靴中の水分を吸着する吸湿剤１２を収容したケース体１１を着脱自在に取り付けたことを特徴とする。【選択図】図３
2011160949.tif 000002
【特許請求の範囲】
【請求項１】
靴の内部を除湿する機能を有した靴構造において、
前記靴の靴本体に開口を設け、前記開口に靴中の水分を吸着する吸湿剤を収容したケース体を着脱自在に取り付けたことを特徴とする靴構造。
【請求項２】
前記開口が、前記靴本体の爪先部もしくは土踏まず部に設けられることを特徴とする請求項１に記載の靴構造。
【請求項３】
前記ケース体は、前記開口と該ケース体の外側とを連通自在とする弁体を備えることを特徴とする請求項１または２に記載の靴構造。
【請求項４】
靴の内部を除湿する靴用除湿具において、
前記靴の靴本体に設けた開口に着脱自在なケース体を備え、前記ケース体内に靴中の水分を吸着する吸湿剤を収容したことを特徴とする靴用除湿具。
【請求項５】
前記開口が、前記靴本体の爪先部もしくは土踏まず部に設けられることを特徴とする請求項４に記載の靴用除湿具。
【請求項６】
前記ケース体は、前記開口と該ケース体の外側とを連通自在とする弁体を備えることを特徴とする請求項４または５に記載の靴用除湿具。
【発明の詳細な説明】
【技術分野】
【０００１】
本発明は、靴の内部を除湿する機能を有した靴構造及び靴用除湿具に関する。
【背景技術】
【０００２】
一般に、靴は通気性に極めて乏しいために着用時に湿気が発生して蒸れ易くなり、履き心地が悪くなるとともに悪臭が発生するおそれがある。このため、従来より着用後の靴内に挿入して除湿を行う靴用の除湿具が知られている（例えば、特許文献１参照）。この種の除湿具では、例えば、シリカゲル等の除湿剤を、通気性を有する袋体に収容し、この袋体を靴内に挿入することにより除湿を行っている。
【先行技術文献】
【特許文献】
【０００３】
【特許文献１】特開２００４−１９４６９６号公報
【発明の概要】
【発明が解決しようとする課題】
【０００４】
ところで、実際に靴内が蒸れるのは靴を着用した（履いた）ときであるが、従来の除湿具は、脱いだ後の靴内に挿入して使用するものであるため、靴を履いている際に靴内の蒸れを防止することはできない。
本発明は、上述した事情に鑑みてなされたものであり、靴を履いている最中であっても、靴内の蒸れを解消できる靴構造及び靴用除湿具を提供することを目的とする。
【課題を解決するための手段】
【０００５】
上記目的を達成するために、本発明は、靴の内部を除湿する機能を有した靴構造において、前記靴の靴本体に開口を設け、前記開口に靴中の水分を吸着する吸湿剤を収容したケース体を着脱自在に取り付けたことを特徴とする。
【０００６】
この構成において、前記開口が、前記靴本体の爪先部もしくは土踏まず部に設けられていても良い。また、前記ケース体は、前記開口と該ケース体の外側とを連通自在とする弁体を備えていても良い。
【０００７】
また、本発明は、靴の内部を除湿する靴用除湿具において、前記靴の靴本体に設けた開口に着脱自在なケース体を備え、前記ケース体内に靴中の水分を吸着する吸湿剤を収容したことを特徴とする。
【０００８】
この構成において、前記開口が、前記靴本体の爪先部もしくは土踏まず部に設けられていても良い。また、前記ケース体は、前記開口と該ケース体の外側とを連通自在とする弁体を備えていても良い。
【発明の効果】
【０００９】
本発明によれば、靴の靴本体に開口を設け、この開口に靴中の水分を吸着する吸湿剤を収容したケース体を着脱自在に取り付けたため、靴を履いている最中であっても、靴内の蒸れを解消することができる。更に、ケース体が靴本体の開口に取り付けられるため、靴本体に開口を設けるだけで、既存の靴にもケース体を簡単に取り付けることができる。
【図面の簡単な説明】
【００１０】
【図１】本発明にかかる靴構造を採用した靴を示す外観斜視図である。
【図２】靴と除湿具とを示す分解斜視図である。
【図３】除湿具及び靴の部分断面図である。
【図４】除湿具のキャップが開放された状態を示す除湿具及び靴の部分断面図である。
【図５】第２実施形態にかかる除湿具と靴との分解斜視図である。
【図６】除湿具及び靴の部分断面図である。
【図７】第３実施形態にかかる靴の外観斜視図である。
【発明を実施するための形態】
【００１１】
以下、図面を参照して本発明の一実施形態について説明する。
＜第１実施形態＞
図１は、第１実施形態にかかる靴１と除湿具１０とを組み合わせた外観斜視図であり、図２は、靴１と除湿具１０とを示す分解斜視図である。これら図１及び図２において、符号１は、靴を示し、この靴１はユーザの足裏を支持する靴底部２と、この靴底部２上に配置されてユーザの足の周囲を覆う靴本体３とを備えて構成される。この靴本体３は、足の甲に接する甲部４、内足側の側面に接する内側面部５、外足側の側面に接する外側面部６および足の踵に接する踵部７から構成されている。また、靴本体３内には靴底部２上に敷かれる中敷８が設けられている。また、対をなす左側の靴と右側の靴は左右対称の構造であるから、本実施形態中では一方（図１，図２では左側の靴）のみを示して他方の説明は省略する。
【００１２】
靴本体３の甲部４の先端４ａ（爪先部）には、図２に示すように、開口４ｂが形成されており、この開口４ｂに除湿具（靴用除湿具）１０が着脱自在に配置されている。この除湿具１０は、靴本体３の先端４ａの外側に配置される中空のケース体１１を備え、このケース体１１の内部には、図３に示すように、水分を吸着する吸湿剤１２が収容されている。このケース体１１内は、上記した開口４ｂを通じて、靴１内の空間１Ａに連通しており、当該靴１内の水分が吸湿剤１２に吸着される。
本実施形態では、吸湿剤１２として粒状に形成した備長炭等の炭やシリカゲルが用いられている。これら備長炭やシリカゲルは、乾燥させることにより吸湿能力を再生することができるため、再利用を図ることができ有効な吸湿剤である。
【００１３】
ケース体１１は、図３に示すように、靴本体３の甲部４の形状に合わせて形成された底面部１１Ａと、この底面部１１Ａの周縁から椀型に上方に膨出した上面部１１Ｂとを備えて一体に形成されている。この構成では、ケース体１１は、靴本体３の外方に露出するため、例えば、アクリル樹脂やポリカーボネート樹脂等、ある程度の強度を有する材料で形成するのが望ましい。
また、底面部１１Ａには、靴本体３に形成された開口４ｂと略同一の大きさの開口部１１Ａ１が形成され、この開口部１１Ａ１には、ケース体１１内から下方に延びて当該ケース体１１内と靴１内の空間１Ａとを連通する連通管１３が設けられている。この連通管１３は、例えば接着や溶着等により底面部１１Ａに固定されている。
連通管１３の下端部は、底面部１１Ａから靴本体３の甲部４の厚さと同程度の長さに突出して設けられ、この下端部には、ケース体１１を靴本体３の開口４ｂに固定するための固定部材１４が取り付けられている。この固定部材１４は、外周面に雄ねじが設けられた円筒部１４Ａと、この円筒部１４Ａの下端部に取り付けられ、当該円筒部１４Ａの外周方向に延在する鍔部１４Ｂとを備える。一方、連通管１３の下端部の内周面には、上記した円筒部１４Ａの外周面に形成された雄ねじと螺合する雌ねじが形成されている。このため、固定部材１４を連通管１３にねじ込むと、ケース体１１の底面部１１Ａと鍔部１４Ｂとの間で、靴本体３の甲部４が挟持されることにより、当該ケース体１１が靴本体３に固定される。
この構成では、固定部材１４が靴１内の空間１Ａに大きく突出しないため、固定部材１４とユーザの足との接触を抑えることができ、ユーザが靴の履いている際の不快感を低減できる。また、底面部１１Ａには、連通管１３の周囲にＯリング１５が設けられ、靴本体３の開口４ｂから水が浸入することを防止している。
【００１４】
連通管１３は、ケース体１１の上面部１１Ｂの上端と略同じ高さ位置まで延び、ケース体１１内を連通管１３の内側と外側とに区分けしており、この外側に吸湿剤１２が収容されている。連通管１３には、連通管１３の内側と外側とを繋ぐスリット１３Ａが周方向に複数形成され、このスリット１３Ａを通じて靴１内の空気が外側の空間に流入するようになっている。
これにより、靴１内の空間１Ａの空気は、靴本体３の開口４ｂ、連通管１３及びスリット１３Ａを通じてケース体１１内に流入し、このケース体１１内に収容された吸湿剤１２によって当該空気中の水分が吸着されるため、靴１内の蒸れが解消される。さらに、この構成では、靴１の靴本体３に開口４ｂを設け、この開口４ｂに靴１中の水分を吸着する吸湿剤１２を収容したケース体１１を着脱自在に取り付けたため、靴１を履いている最中であっても、靴１内の蒸れを解消することができ、ユーザが快適に靴１を着用することができる。更に、ケース体１１が靴本体３の開口４ｂに取り付けられるため、靴本体３に開口４ｂを設けるだけで、既存の靴にも除湿具１０を簡単に取り付けることができる。
【００１５】
また、本実施形態の除湿具１０は、単に靴１中の空気の水分を吸着するだけでなく、靴１中の空気を外部に放出する換気機能を有する。ケース体１１の上面部１１Ｂは、開口が形成され、この開口の周囲から上方に延びる円筒状の壁部１１Ｂ１が上面部１１Ｂと一体に形成されている。この壁部１１Ｂ１には、キャップ（弁体）１６が取り付けられ、このキャップ１６を操作することにより、ケース体１１の内外を連通可能に構成されている。
本実施形態では、キャップ１６は、略円盤状の把持部１６Ａと、この把持部１６Ａの下面から下方に延びる筒部１６Ｂとを備えて一体に形成され、この筒部１６Ｂの一部には通風孔１６Ｂ１が形成されるとともに、当該筒部１６Ｂの外周面には雄ねじが形成されている。一方、ケース体１１の壁部１１Ｂ１の内周面には、上記雄ねじに螺合する雌ねじが形成され、キャップ１６をケース体１１にねじ込むことにより取り付けることができる。
【００１６】
キャップ１６の把持部１６Ａの下面には、筒部１６Ｂの周囲にＯリング１７が設けられ、このキャップ１６を閉め込んだ際には、ケース体１１とキャップ１６との間の気密性が確保される。
一方、キャップ１６を開く方向に操作すると、図４に示すように、キャップ１６が上方に移動することにより、通風孔１６Ｂ１がケース体１１の壁部１１Ｂ１の上方に露出する。これによりこの通風孔１６Ｂ１を通じて、靴本体３の開口４ｂとケース体１１の外側空間とが連通するため、靴１内の空気を、靴本体３の開口４ｂ、連通管１３及びキャップ１６の通風孔１６Ｂ１を通じてケース体１１の外側に流出させることができ、靴１内の蒸れを早急に解消することができる。
【００１７】
＜第２実施形態＞
図５は、第２実施形態にかかる靴１と除湿具２０とを組み合わせた外観斜視図であり、図６は、除湿具２０及び靴１の部分断面図である。この実施形態では、靴１の構成は上記したものと略同一であるため、同一の符号を付して説明を省略する。この実施形態にかかる靴構造では、除湿具２０が換気機能を備えておらず、この除湿具２０を覆うカバー体２６を設けた点で上記した実施形態と構成を異にしている。
除湿具２０は、中空のケース体２１を備え、このケース体２１の内部には、図４に示すように、水分を吸着する吸湿剤２２と、この吸湿剤２２で吸着した水を保持する保水剤２４とが混合して収容されている。本実施形態では、吸湿剤２２として粒状に形成した塩化カルシウム等の潮解性を有する材料が用いられ、保水剤２４としてポリアクリルアミド系等の合成高分子材料が用いられている。吸湿剤２２とともに保水剤２４を混合することにより、吸収された水分がケース体２１内にゲル状体で保持されることにより、この水分が靴１内に逆流することが防止される。なお、本実施形態においても、ケース体２１に備長炭やシリカゲル等の吸湿剤を収容しても良い。
【００１８】
ケース体２１は、図４に示すように、底面部２１Ａと、この底面部２１Ａの周縁から椀型に上方に膨出した上面部２１Ｂとを備えて一体に形成されている。このケース体２１は、上記した第１実施形態のケース体１１と同様、ある程度の強度を有する材料で形成しても良いが、本実施形態では、除湿具２０の上にカバー体２６が設けられているため、例えば、薄膜状に形成されたポリエチレン等の樹脂材料で形成しても良い。この構成では、ケース体２１自体には剛性はないものの、このケース体２１をカバー体２６で保護することができる。さらに、ケース体２１の形状を靴本体３の上面形状や、カバー体２６の形状に合わせて自由に変形させることができるため、カバー体２６のデザインのバリエーションを広げることができ、除湿機能のみならず流行性にも富んだ靴を提供できる。
【００１９】
底面部２１Ａには、靴本体３に形成された開口４ｂと略同一の大きさの開口部２１Ａ１が形成され、この開口部２１Ａ１には、ケース体１１内から下方に延びて当該ケース体１１内と靴１内の空間１Ａとを連通する連通管２３が設けられている。この連通管２３は、例えば接着や溶着等により底面部２１Ａに固定され、当該連通管２３の上端部には空気等の気体（湿度分を含む）を通過させる一方、水等の液体を遮断する透湿フィルム２５が設けられており、この透湿フィルム２５によっても保水剤２４が保持した水分の逆流が防止されている。
この連通管２３の下端部は、底面部２１Ａから靴本体３の甲部４の厚さと同程度の長さに突出して設けられ、この下端部には、ケース体２１を靴本体３の開口４ｂに固定するための固定部材１４が取り付けられている。この固定部材１４を連通管２３に取り付けて、ケース体２１を靴本体３に固定する構成については、第１実施形態と同一であるため同一の符号を付して説明を省略する。
【００２０】
カバー体２６は、除湿具２０のケース体２１を覆って保護するとともに、靴１のデザインや形状に変化を与えるものであり、靴本体３に取り付けられている。このカバー体２６は、靴本体３と同素材同色で形成することが望ましいが、靴本体３と異なる色で形成してデザイン性を高めても良い。カバー体２６は、靴本体３の爪先部の形状に合わせて形成され、上面部２６Ａ及び側面部２６Ｂを備える。上面部２６Ａには、上記したケース体２１を収容するために上方に膨出した膨出部２６Ａ１が形成されている。側面部２６Ｂの内面には、一対となる留め具（例えば、スナップボタンや面ファスナー）の一方２７Ａが設けられ、靴本体３には、この一方の留め具２７Ａに係合する他方の留め具２７Ｂが設けられている。これら留め具は着脱可能なものであれば良い。
【００２１】
この実施形態では、靴本体３の開口４ｂに靴１中の水分を吸着する吸湿剤２２及び保水剤２４を収容したケース体２１を着脱自在に取り付けるとともに、このケース体２１を覆うカバー体を靴本体に取り付けているため、靴１を履いている最中の靴１内の蒸れを解消できることに加え、カバー体２６の形状を変更することにより、靴のデザインのバリエーションを広げることができる。この実施形態では、ケース体２１内に吸湿剤２２及び保水剤２４を混合して収容した構成について説明したが、ケース体内を上下に区分けする仕切り板（不図示）を設けるとともに、この仕切りに吸湿剤及び保水剤よりも小径の孔を多数形成し、上段側に吸湿剤を収容し、下段側に保水剤を収容する構成としても良い。
【００２２】
以上、本発明の一実施の形態について説明したが、これに限るものではない。例えば、上記した実施形態では、靴本体３の甲部４の先端４ａ（爪先部）に除湿具１０、２０を設ける構成としていたが、図７に示すように、靴本体３の内側面部５の土踏まず部５ａに相当する部分に開口５ｂを形成し、この開口５ｂに除湿具１０または除湿具２０を配置する構成としても良い。この図７では、は左側の靴を示している。
また、この図７では、記載を省略しているが、靴本体の爪先部及び土踏まず部にそれぞれ開口を設け、この開口にそれぞれ除湿具１０、２０を設ける構成としても良い。特に、靴本体の爪先部及び土踏まず部に除湿具１０を設けた場合には、この除湿具１０のキャップ１６を開放することにより、各通風孔を通じて靴１内に空気の流れを形成することができ、靴１内の蒸れを早急に解消することができる。
また、上記した実施形態では、ケース体１１、２１を固定部材１４で靴本体３に固定する構成について説明しているが、靴本体３に開口を設けるだけでケース体１１、２１を当該靴本体３に固定できるのであれば他の方法を用いても良い。
【符号の説明】
【００２３】
１  靴
１Ａ  空間
３  靴本体
４ａ  先端（爪先部）
４ｂ  開口
５  内側面部
５ａ  土踏まず部
５ｂ  開口
１０、２０  除湿具
１１、２１  ケース体
１１Ａ、２１Ａ  底面部
１１Ｂ、２１Ｂ  上面部
１２、２２  吸湿剤
１３、２３  連通管
１４  固定部材
１４Ａ  円筒部
１４Ｂ  鍔部
１６  キャップ（弁体）
１６Ａ  把持部
１６Ｂ  筒部
１６Ｂ１  通風孔
２４  保水剤
２６  カバー体
２６Ａ  上面部
２６Ａ１  膨出部
２６Ｂ  側面部
【図１】
2011160949.tif 000003
【図２】
2011160949.tif 000004
【図３】
2011160949.tif 000005
【図４】
2011160949.tif 000006
【図５】
2011160949.tif 000007
【図６】
2011160949.tif 000008
【図７】
2011160949.tif 000009